(57)【特許請求の範囲】
【請求項１】
ＩＣカードビューワにより最初にアクセスされる所定のメモリ領域に、テストモードに移行させるテストモードコードが記録されたＩＣカードビューワ検査用ＩＣカード、又は、前記所定のメモリ領域に通常のＩＣカードであることを示す通常コードが記録され、前記所定のメモリ領域とは異なるメモリ領域に電子マネーに関する情報が記録された通常のＩＣカードが翳された際に、前記所定のメモリ領域に記録されているコードを読み出す読み出し手段と、
テスト用の情報を表示するためのテストプログラム、及び、前記通常のＩＣカードに記録された情報を表示させる通常のプログラムが記録されたメモリと、
前記読み出し手段により読み出されたコードが前記テストモードコードであるか否かを判定する判定手段と、
前記判定手段により、前記読み出し手段により読み出されたコードが前記テストモードコードであると判定された場合には前記メモリに記録されたテストプログラムを実行し、前記読み出し手段により読み出されたコードが前記テストモードコードでないと判定された場合には前記メモリに記録された通常のプログラムを実行する実行手段と、
前記実行手段により実行結果を表示する表示部と、
を備える、ＩＣカードビューワ。
【請求項２】
前記読み取り部は、相互認証が成功したＩＣカードビューワ検査用ＩＣカード又は通常のＩＣカードから非接触通信を利用してコードを読み出す、
請求項１に記載のＩＣカードビューワ。
【請求項３】
ＩＣカードビューワにより最初にアクセスされる所定のメモリ領域に、テストモードに移行させるテストモードコードが記録されたＩＣカードビューワ検査用ＩＣカード、又は、前記所定のメモリ領域に通常のＩＣカードであることを示す通常コードが記録され、前記所定のメモリ領域とは異なるメモリ領域に電子マネーに関する情報が記録された通常のＩＣカードが翳された際に、前記所定のメモリ領域に記録されているコードを読み出す読み出しステップと、
前記読み出しステップにて読み出されたコードが前記テストモードコードであるか否かを判定する判定ステップと、
前記判定ステップの判定結果に応じて、テスト用の情報を表示するためのテストプログラム、及び、前記通常のＩＣカードに記録された情報を表示させる通常のプログラムが記録されたメモリからプログラムが読み込まれる読み込みステップと、
前記判定ステップによる判定の結果、前記読み出しステップにて読み出されたコードが前記テストモードコードであると判定された場合には前記メモリから読み込まれたテストプログラムを実行し、前記読み出しステップにて読み出されたコードが前記テストモードコードでないと判定された場合には前記メモリから読み込まれた通常のプログラムを実行する実行ステップと、
前記実行ステップの実行結果を表示する表示ステップと、
を含む、ＩＣカードビューワにおける検査方法。

【発明の詳細な説明】
【０００１】
【発明の属する技術分野】
本発明は、ＩＣカードのアクセス装置、ＩＣカードアクセス装置の検査装置及びＩＣカードアクセス装置の検査方法に関し、例えば非接触ＩＣカードの記録を確認するＩＣカードビュアーの検査に適用することができる。本発明は、アクセス対象から所定のコードが得られた場合、動作モードをテストモードに切り換えて、ＩＣカードアクセス装置で所定の動作確認用のプログラムを実行することにより、ユーザー側ではテストモードに移行できないようにして、簡易な構成、操作によりＩＣカードビュアー等の動作を確認することができるようにする。
【０００２】
【従来の技術】
従来、ＩＣカードにおいては、大量のデータを記録して携帯できることにより、磁気記録によるカードに代えて、種々の用途に利用されるようになされている。すなわち図４は、この種のＩＣカードシステムを示すブロック図である。このＩＣカードシステム１において、パーソナルコンピュータ（ＰＣ）２は、店舗等において売り上げの集計等に利用される。
【０００３】
リーダライタ３は、ＩＣカード４のアクセス装置であり、パーソナルコンピュータ２等の制御によりＩＣカード４をアクセスしてＩＣカード４との間で種々のデータを入出力する。すなわちリーダライタ３においては、外部インターフェース（外部Ｉ／Ｆ）５を介してパーソナルコンピュータ２より出力される制御コマンド等を中央処理ユニット（ＣＰＵ）６に通知し、メモリ７にワークエリアを確保した中央処理ユニット６の処理により、例えばカードインターフェース（カードＩ／Ｆ）８を介してＩＣカード４をアクセスする。さらにリーダライタ３は、キーボード９の操作に応じた中央処理ユニット６の処理等により、さらにはパーソナルコンピュータ２の制御により、カードインターフェースを介してＩＣカード４に記録されたデータを読み出し、またＩＣカード４の記録を更新する。リーダライタ３は、このようなＩＣカード４のアクセスに係る情報を液晶表示パネル等による表示ディバイス１０に表示し、またパーソナルコンピュータ２との間で入出力する。これによりリーダライタ３は、例えばＩＣカード４に記録された電子マネーをパーソナルコンピュータ２により処理して、ＩＣカード４を店舗における支払い等に利用できるようになされている。
【０００４】
これらに対応してＩＣカード４においては、カードインターフェース（カードＩ／Ｆ）１１を介してリーダライタ３によるアクセスを中央処理ユニット（ＣＰＵ）１２に通知し、この中央処理ユニット１２の処理によりメモリ１３に記録されたデータをリーダライタ３に通知し、またリーダライタ３からの制御によりメモリ１３の内容を更新するようになされている。
【発明が解決しようとする課題】
【０００５】
ところでこのような構成に係るＩＣカードにおいては、リーダライタとの間で非接触によりデータを送受する構成の非接触ＩＣカードがあり、このような非接触ＩＣカードにおいては、ＩＣカードをアクセスする携帯型のアクセス装置であるＩＣカードビュアーを使用することが考えられる。
【０００６】
すなわち図５は、このようなＩＣカードビュアーを示す斜視図である。ＩＣカードビュアー２０においては、電源スイッチ２０Ａの操作により内蔵の電池で動作を開始し、内蔵のアンテナを駆動する。これによりＩＣカードビュアー２０は、ＩＣカード４に近接して保持すると、ＩＣカード４のアンテナに高周波を誘起し、この高周波によりＩＣカード４の動作を立ち上げる。
【０００７】
さらにＩＣカードビュアー２０は、ＩＣカード４に呼び掛けを発するように内蔵のアンテナを駆動し、この呼び掛けに対する応答等の一連のデータ交換により、ＩＣカード４が動作を立ち上げると、ＩＣカード４との間で認証の処理を実行する。さらにＩＣカードビュアー２０は、この認証結果に基づいて、各種の操作子２１の操作に応動して、ＩＣカード４をアクセスし、所定の表示部２２にＩＣカード４に記録された各種の情報を表示する。
【０００８】
このようなＩＣカードビュアー２０においては、基板への部品実装工程、出荷検査工程等の、製造時の各工程において、動作を確認する必要があり、近年の電子機器一般においては、所定のテストプログラムの実行によりこのような動作を確認できるようになされている。
【０００９】
ＩＣカードビュアー２０においては、このようなテストプログラムの実行に、実用上未だ不十分な問題がある。
【００１０】
すなわちこのようなテストプログラムを実行する場合、テスト用のボードに接続して実行する方法が考えられるが、非接触ＩＣカードに適応するＩＣカードビュアー２０の場合、完成品においてはこの方法を適用できない問題がある。
【００１１】
またリーダライタに接続して、リーダライタの特殊なキー操作によりテストプログラムを実行する方法も考えられる。またＩＣカードビュアー２０自体で、特殊なキー操作によりテストプログラムを実行する方法も考えられる。しかしながら、製造現場でこのような特殊なキー操作を必要とすると、その分、製造に要する時間が長くなる問題がある。またユーザー側の誤操作等によりに、不必要にテストモードになってしまう恐れもある。
【００１２】
これに対して例えば専用のリーダライタ等の使用により、ユーザー側ではテストモードに移行できないようにしてテストプログラムを実行する方法も考えられるが、この方法の場合、専用の設備が必要になり、市場におけるメンテナンス作業には適用困難な問題がある。
【００１３】
本発明は以上の点を考慮してなされたもので、ユーザー側ではテストモードに移行できないようにして、簡易な構成、操作によりＩＣカードビュアー等の動作を確認することができるＩＣカードのアクセス装置ＩＣカードアクセス装置の検査装置及びＩＣカードアクセス装置の検査方法を提案しようとするものである。
【００１４】
【課題を解決するための手段】
かかる課題を解決するため請求項１の発明においては、ＩＣカードをアクセスしてＩＣカードに記録された情報をユーザーに提供するＩＣカードのアクセス装置に適用して、アクセス対象より所定のコードが得られた場合、動作モードをテストモードに切り換え、所定の動作確認用のプログラムを実行する。
【００１５】
また請求項５の発明においては、ＩＣカードアクセス装置によるアクセスに対して保持したデータを提供するＩＣカードとほぼ同一の形状であり、ＩＣカードアクセス装置によるアクセスに対して、ＩＣカードアクセス装置の動作モードをテストモードに切り換えて、ＩＣカードアクセス装置に動作確認用のプログラムを実行させるデータを提供する。
【００１６】
また請求項９の発明においては、ＩＣカードをアクセスしてＩＣカードに記録された情報をユーザーに提供するＩＣカードアクセス装置の検査方法において、アクセス対象から所定のコードが得られた場合、ＩＣカードアクセス装置の動作モードをテストモードに切り換えて、ＩＣカードアクセス装置で所定の動作確認用のプログラムを実行する。
【００１７】
請求項１の構成によれば、ＩＣカードのアクセス装置に適用して、アクセス対象より所定のコードが得られた場合、動作モードをテストモードに切り換え、所定の動作確認用のプログラムを実行することにより、ＩＣカードに対するアクセスによっては、この所定のコードによる応答が得られないようにしてユーザー側ではテストモードに移行できないようにすることができる。これによりＩＣカードをアクセスする場合と同様の簡易な操作により、またテストモードに移行させるコードをＩＣカード記録する等の簡易な構成により、動作を確認することができる。
【００１８】
また請求項５の構成によれば、ＩＣカードアクセス装置によるアクセスに対して保持したデータを提供するＩＣカードとほぼ同一の形状であり、ＩＣカードアクセス装置によるアクセスに対して、ＩＣカードアクセス装置の動作モードをテストモードに切り換えて、ＩＣカードアクセス装置で動作確認用のプログラムを実行させるデータを提供することにより、例えばＩＣカードにテストモードに移行させるコードを記録するだけの簡易な構成により、ユーザー側ではテストモードに移行できないようにして、ＩＣカードをアクセスする場合と同様の簡易な操作により、ＩＣカードアクセス装置の動作を確認することができる。
【００１９】
また請求項９の構成によれば、ＩＣカードアクセス装置の検査方法において、アクセス対象から所定のコードが得られた場合、ＩＣカードアクセス装置の動作モードをテストモードに切り換えて、ＩＣカードアクセス装置で所定の動作確認用のプログラムを実行することにより、ＩＣカードに対するアクセスによっては、この所定のコードによる応答が得られないようにしてユーザー側ではテストモードに移行できないようにすることができる。これによりＩＣカードをアクセスする場合と同様の簡易な操作により、またＩＣカードによりテストモードに移行させるコードを記録する等の簡易な構成により、動作を確認することができる。
【００２０】
【発明の実施の形態】
以下、適宜図面を参照しながら本発明の実施の形態を詳述する。
【００２１】
（１）実施の形態の構成
図２は、本発明の実施の形態に係るＩＣカードビュアーを示す平面図である。このＩＣカードビュアー３１は、板形状により形成され、電源スイッチ３２の押圧操作により動作を開始して内蔵のアンテナを駆動し、近接して保持されるＩＣカードの動作を立ち上げると共に、このＩＣカードとの間で相互認証の処理を実行する。
【００２２】
さらにＩＣカードビュアー３１は、上下左右方向によるスクロールの操作子３３Ａ〜Ｄ、履歴、残額の操作子３４、３５の操作に応動して、このように相互認証してなるＩＣカードに種々のコマンドを送出し、このＩＣカードの記録をロードする。さらにＩＣカードビュアー３１は、このようにしてロードした情報を液晶表示パネルによる表示部３６に表示する。これによりＩＣカードビュアー３１は、携帯してＩＣカードに記録された情報を確認できるようになされている。
【００２３】
図１は、このＩＣカードビュアー３１の構成を示すブロック図である。このＩＣカードビュアー３１において、駆動用電源４１は、内蔵の電池により構成され、変復調回路４４は、情報処理部４２の制御により動作を立ち上げ、ループアンテナ４５を駆動する。変復調回路４４は、このループアンテナ４５の駆動により、近接して保持されたＩＣカードに動作用の電源を供給し、またこのＩＣカードに種々のデータを送信する。さらに変復調回路４４は、所定期間の間、一定の出力インピーダンスによる高周波信号により（いわゆる無変調状態である）ループアンテナ４５を駆動し、このループアンテナ４５における高周波信号を検波することにより、近接して保持されてこのループアンテナ４５の電力により動作するＩＣカードから送出されたデータを受信する。変復調回路４４は、このようなデータの送信、受信を情報処理部４２の制御により実行することにより、ＩＣカードとの間で相互認証等の処理を実行し、またＩＣカードをアクセスして種々のデータを入出力するようになされている。
【００２４】
情報処理部４２は、電源スイッチ３２の操作により駆動用電源４１で動作を開始し、変復調回路４４の動作を立ち上げてループアンテナ４５の駆動を開始する。これにより情報処理部４２は、ユーザーの操作により近接して保持されたＩＣカードの動作を立ち上げる。さらに情報処理部４２は、変復調回路４４の制御によりＩＣカードとの間で相互認証の処理を実行した後、各種操作子３３Ａ〜３３Ｄ、３４、３５等の操作に応動した変復調回路４４の制御により、ＩＣカードにリードコマンドを送出し、これによりＩＣカードに記録された各種のデータを取得する。さらに情報処理部４２は、このようにして取得したデータにより表示部３６を駆動し、これによりユーザーの所望する情報をＩＣカードより取得して表示するようになされている。
【００２５】
情報処理部４２は、この処理において、ＩＣカードよりテストモードへの移行を指示するテストモードコードが受信されると、このコードによりメモリ４６をアクセスし、このメモリ４６に保持されたテストプログラムを実行する。すなわちメモリ４６は、情報処理部４２の処理に係る処理手順が記録され、この処理手順においては、ＩＣカードをアクセスしてＩＣカードに記録された情報の表示に供する処理プログラムと、このＩＣカードビュアー３１のテストプログラムとにより構成される。情報処理部４２は、ＩＣカードをアクセスして通常のコードが得られると、このメモリ４６に保持されてなるＩＣカードに記録された情報の表示に供する処理プログラムを実行し、これにより上述したように操作子３３Ａ〜３３Ｄ、３４、３５の操作に応動してＩＣカードをアクセスし、ＩＣカードに記録された情報を表示する。
【００２６】
これに対してテストモードコードがアクセス対象より得られると、情報処理部４２は、テストプログラムを実行する。ここでこのテストプログラムは、表示部３６にテスト用の各種文字等を表示して表示部３６が正しく動作するか等を検査する動作確認用プログラムである。これによりＩＣカードビュアー３１においては、ユーザー側ではテストモードに移行できないようにして、テスト用のＩＣカードに近接して保持するだけの簡易な操作により、またアクセス対象からテストモードコードを返すだけの簡易な構成により、動作を確認することができるようになされている。
【００２７】
かくするにつき図３は、この情報処理部４２における処理手順を示すフローチャートである。情報処理部４２は、変復調回路４４を介してＩＣカードとの間で相互認証の処理を完了すると、ステップＳＰ１からステップＳＰ２に移り、ＩＣカードの所定領域に記録されたデータをロードする。ここでＩＣカードビュアーの検査には、ＩＣカードビュアー検査用のＩＣカードが使用され、このようなＩＣカードビュアー検査用のＩＣカード及び通常のＩＣカードにおいては、この所定領域がモード設定メモリに設定される。さらにＩＣカードビュアー検査用のＩＣカードにおいては、このモード設定メモリにテストモードコードが記録されるようになされている。
【００２８】
これにより情報処理部４２は、このモード設定メモリの記録を取得すると、ステップＳＰ３に移り、この記録がテストモードコードか否か判断する。ここで肯定結果が得られると、情報処理部４２は、ステップＳＰ４に移り、メモリ４６に記録されたテストプログラムを実行することにより、テストモードにより一連の処理を実行した後、ステップＳＰ５に移ってこの処理手順を終了する。これに対してステップＳＰ３で否定結果が得られると、ステップＳＰ６に移り、メモリ４６に記録された通常の処理手順を実行することにより、通常のプログラムを実行した後、ステップＳＰ５に移ってこの処理手順を終了する。
【００２９】
このＩＣカードビュアー３１の構成に対応して、ＩＣカードビュアー検査用のＩＣカード５１においては（図１）、ＩＣカードビュアー３１により最初にアクセスされる領域にテストモードコードが記録されている点を除いて、通常のＩＣカードと同一に構成される。すなわちＩＣカードビュアー検査用のＩＣカード５１においては、ループアンテナ５２に誘起される高周波信号を変復調回路５３により整流して動作用の電源を生成し、これによりリーダライタ、さらにはＩＣカードビュアー３１に近接して保持されると、動作を開始するようになされている。
【００３０】
変復調回路５３は、さらにループアンテナ５２に誘起される高周波信号を検波し、これによりリーダライタ、さらにはＩＣカードビュアー３１より送出されたデータを受信して信号処理回路５に出力する。またこの信号処理回路５の制御により、ループアンテナ５２の終端インピーダンスを切り換え、これによりループアンテナ５２に結合してなるリーダライタ、さらにはＩＣカードビュアー３１に、種々のデータを送出する。
【００３１】
信号処理回路５４は、変復調回路５３より得られるデータを解析し、この解析結果によりメモリ５５に保持したデータ、さらには種々のステータスを変復調回路５３に送出する。これによりＩＣカードビュアー検査用ＩＣカード５１においては、ＩＣカードビュアー３１のアクセスによりメモリ５５に記録された情報を送出するようになされている。
【００３２】
メモリ５５は、例えば不揮発性のメモリにより構成される。メモリ５５は、通常のＩＣカードにおいては、ＩＣカードビュアー３１により最初にアクセスされる領域に通常のＩＣカードであることを示すコードが記述され、続いて例えば電子マネーの金額、電子マネーの使用履歴等が記録されるのに対し、この検査用のＩＣカード５１においては、ＩＣカードビュアー３１により最初にアクセスされる領域に通常のテストモードコードが記録される。
【００３３】
これによりこのＩＣカードビュアー検査用ＩＣカード５１においては、単に通常のＩＣカードに所定のコードを記述するだけの簡易な構成により、ＩＣカードビュアー３１をテストモードに切り換えて、ＩＣカードビュアー３１の動作を確認できるようになされている。
【００３４】
（２）実施の形態の動作
以上の構成において、ＩＣカードビュアー３１は（図１及び図２）、例えばＩＣカードの上に重ねるように保持して、電源スイッチ３２を押圧操作すると、内蔵の電源４１により動作を開始し、ループアンテナ４５を所定の高周波信号により駆動する。これによりこのようにしてＩＣカードビュアー３１に近接して保持されたＩＣカードにおいては、内蔵のループアンテナに高周波信号が誘起され、この高周波信号の電力により動作を開始する。
【００３５】
ＩＣカードビュアー３１は、このようにしてループアンテナ４５を高周波信号により駆動した状態で、この高周波信号を変調し、ＩＣカード側においては、ループアテンナに誘起される高周波信号を検波し、これにより非接触で、ＩＣカードビュアー３１からＩＣカードへデータが送信される。またＩＣカードビュアー側で一定の出力インピーダンスによる無変調状態で駆動した状態で、ＩＣカード側において、ループアンテナの終端インピーダンスが切り換えられ、この切り換えにより変化するＩＣカードビュアー３１側、ループアンテナ４５の高周波信号が検波され、これにより非接触で、ＩＣカード側よりＩＣカードビュアー３１に種々のデータが送信される。このＩＣカードシステムでは、このようなＩＣカードビュアー３１及びＩＣカードによるデータ交換により、ＩＣカードビュアー３１より非接触でＩＣカードをアクセスし、ＩＣカードに記録された各種のデータが読み出され、表示部３６に表示される。これによりこのＩＣカードビュアー３１においては、携帯して、例えばＩＣカードの上に重ねて所望の操作子を押圧操作するだけの簡易な操作により、ＩＣカードの記録を確認することができる。
【００３６】
このようなＩＣカードビュアー３１の動作を確認する場合、製造工程においては、基板に部品を実装した状態で、また完成品の状態で、検査用ＩＣカード５１の上にＩＣカードビュアー３１を載置して電源スイッチ３２を押圧操作することにより、ＩＣカードビュアー３１が正しく動作する場合には、通常のＩＣカードをアクセスする場合と同様に、ループアンテナ４５の駆動を開始する。
【００３７】
検査用ＩＣカード５１では、通常のＩＣカードと同様に、これによりループアンテナ５２に高周波信号が誘起されて動作を開始し、ＩＣカードビュアー３１に応答する。ＩＣカードビュアー３１及びＩＣカード５１では、通常のＩＣカードにおけるアクセスの場合と同様に、相互認証の処理を実行し、その後、ＩＣカード５１に内蔵のメモリ５５の所定領域がアクセスされ、検査用ＩＣカード５１においては、この所定領域に記録されたテストモードコードがＩＣカードビュアー３１に送信される。
【００３８】
ＩＣカードビュアー３１においては、このテストモードコードに代えて通常のＩＣカードのアクセスによるコードが返された場合、メモリ４６に記録された通常のＩＣカードのアクセスに係る処理手順の実行により、ＩＣカードをアクセスして記録された内容を表示部３６に表示するのに対し、この検査用ＩＣカード５１によりテストモードコードが返されると、メモリ４６に記録されたテストプログラムを実行し、これにより表示部３６等の動作が確認される。
【００３９】
これによりこの検査用ＩＣカード５１を用いたＩＣカードビュアー３１の検査工程においては、検査用ＩＣカード５１の上にＩＣカードビュアー３１を重ねて電源スイッチ３２を押圧操作するだけの簡易な操作により、ＩＣカードとの間のデータ通信、表示部３６の表示等を確認することができる。また通常のＩＣカードの記録を一部変更するだけの簡易な構成により、ＩＣカードビュアー３１の検査装置を作成することができ、その分、簡易な構成によりＩＣカードビュアー３１を検査することができる。またこのような検査用ＩＣカード５１の外部への流出を防止して、さらにはこのようなテストモードコードを外部に漏れないようにして、ユーザー側ではテストモードに移行できないようにすることができる。
【００４０】
（３）実施の形態の効果
以上の構成によれば、アクセス対象から所定のコードが得られた場合、動作モードをテストモードに切り換えて、ＩＣカードアクセス装置であるＩＣカードビュアーで所定の動作確認用のプログラムを実行することにより、ユーザー側ではテストモードに移行できないようにして、簡易な構成、操作によりビュアーの動作を確認することができる。
【００４１】
またこのときこの動作確認用のプログラムを、ＩＣカードビュアーに内蔵のメモリに記録することにより、検査用ＩＣカードにおいては、単に一般のＩＣカードにテストモードコードを記録するだけの簡易な構成により作成することができる。
【００４２】
（４）他の実施の形態
なお上述の実施の形態においては、ＩＣカードビュアー側にテストプログラムを配置する場合について述べたが、本発明はこれに限らず、検査用ＩＣカード側に配置してもよく、ＩＣカードビュアー側、ＩＣカード側に分割して配置するようにしてもよい。
【００４３】
また上述の実施の形態においては、ＩＣカードビュアーの検査工程に本発明を適用する場合について述べたが、本発明はこれに限らず、メンテナンスに適用するようにしてもよい。
【００４４】
また上述の実施の形態においては、ＩＣカードビュアーでなるＩＣカードアクセス装置に本発明を適用する場合について述べたが、本発明はこれに限らず、リーダライタ等、種々のＩＣカードアクセス装置の検査に広く適用することができる。
【００４５】
また上述の実施の形態においては、非接触型のＩＣカードシステムに本発明を適用する場合について述べたが、本発明はこれに限らず、接触型のＩＣカードによるシステムにも広く適用することができる。
【００４６】
【発明の効果】
上述のように本発明によれば、アクセス対象から所定のコードが得られた場合、動作モードをテストモードに切り換えて、ＩＣカードアクセス装置で所定の動作確認用のプログラムを実行することにより、ユーザー側ではテストモードに移行できないようにして、簡易な構成、操作によりＩＣカードビュアー等の動作を確認することができる。
【図面の簡単な説明】
【図１】本発明の実施の形態に係るＩＣカードビュアー及びＩＣカードを示すブロック図である。
【図２】図１のＩＣカードビュアーを示す正面図である。
【図３】図１のＩＣカードビュアーにおける情報処理部の処理手順を示すフローチャートである。
【図４】従来のＩＣカードシステムを示すブロック図である。
【図５】ＩＣカードビュアーの説明に供する斜視図である。
【符号の説明】
1 ……ＩＣカードシステム、３……リーダライタ、４……ＩＣカード、２０、３１……ＩＣカードビュアー、４６、５５……メモリ、５１……検査用ＩＣカード
【図１】
0004501276.tif 000002
【図２】
0004501276.tif 000003
【図３】
0004501276.tif 000004
【図４】
0004501276.tif 000005
【図５】
0004501276.tif 000006